(57)【要約】【課題】  本発明は地下タンクで漏洩が発生する前段階で地下タンクの腐食の有無を予測できることを課題とする。【解決手段】  地下タンク腐食予測装置１０は、地下タンク１４に挿入された吸込み管１６と、吸込み管１６を介して地下タンク１４の底部に滞留された滞留水Ｗを吸込む吸込みポンプ１８と、吸込みポンプ１８により汲み上げられた滞留水Ｗの塩素イオン濃度、硫化物濃度を分析する分析計２０と、分析計２０による分析結果に基づいて地下タンク１４内面の腐食の有無を予測するための制御装置２２と、予測結果を表示する表示器２４とから構成されている。地下タンク腐食予測装置１０により地下タンク１４で漏洩が発生する前段階で地下タンク１４内面の腐食の有無を予測することが可能になる。地下タンク腐食予防装置４０は、地下タンク１４に純水を供給して滞留水Ｗを希釈する。これにより、滞留水の塩素イオン濃度が減少して孔食の発生を防止する。【選択図】  図１
2005076070.tif 000002
【特許請求の範囲】
【請求項１】
燃料油を貯留する地下タンク底部に滞留する滞留水を採取し、採取した滞留水の中の塩素イオン濃度と硫化物濃度との少なくともいずれか一方の成分の測定を行い、その濃度測定結果に基づいて、前記地下タンク内面の腐食の有無を予測することを特徴とする地下タンク腐食予測方法。
【請求項２】
燃料油を貯留する地下タンク底部に滞留する滞留水を採取し、採取された滞留水の塩素イオン濃度と硫化物濃度との少なくともいずれか一方の成分の測定を発色試薬により検出し、該検出結果に基づいて前記地下タンク内面の腐食の有無の予測を行うことを特徴とする地下タンク腐食予測方法。
【請求項３】
燃料油を貯留する地下タンク底部に滞留する滞留水を採取し、採取した滞留水の中の塩素イオン濃度と硫化物濃度との少なくともいずれか一方の成分の測定を行い、その濃度測定結果が孔食を発生しやすい濃度の場合、前記地下タンクに水を注入し、前記滞留水に含まれる塩素イオン濃度の濃度を希釈することを特徴とする地下タンク腐食予防方法。
【請求項４】
燃料油を貯留する地下タンク底部に滞留する滞留水を採取し、採取した滞留水の中の塩素イオン濃度と硫化物濃度との少なくともいずれか一方の成分の測定を行い、の成分の測定を行い、その濃度測定結果が孔食を発生しやすい濃度の場合、塩素イオン濃度と硫化物濃度との少なくともいずれか一方の物性を変化させることを特徴とする地下タンク腐食予防方法。
【請求項５】
燃料油を貯留する地下タンク底部に滞留する滞留水を採取する採取手段と、
該採取手段により採取された滞留水の塩素イオン濃度と硫化物濃度との少なくともいずれか一方の成分を測定する濃度測定器と、
該濃度測定器による測定結果に基づいて前記地下タンク内面の腐食の有無を予測する予測手段と、
を備えたことを特徴とする地下タンク腐食予測装置。
【請求項６】
燃料油を貯留する地下タンク底部に滞留する滞留水を採取する採取手段と、
該採取手段により採取された滞留水の塩素イオン濃度と硫化物濃度との少なくともいずれか一方の成分を測定する濃度測定器と、
該濃度測定器による測定結果が孔食を発生しやすい濃度の場合、前記地下タンクに水を注入し、前記滞留水に含まれる塩素イオン濃度と硫化物濃度との少なくともいずれか一方を希釈する希釈手段と、
を備えたことを特徴とする地下タンク腐食予防装置。
【発明の詳細な説明】
【技術分野】
【０００１】
本発明は地下に埋設された地下タンクの内面の腐食を予想する地下タンク腐食予測方法及び地下タンク腐食予防方法及び地下タンク腐食予測装置及び地下タンク腐食予防装置に関する。
【背景技術】
【０００２】
例えば、ガソリン、灯油、軽油、重油等の燃料油を貯蔵する地下埋設タンクは、給液所、燃料基地、重油・軽油ボイラーを有する工場、事業所、ビル等に設置されている。
【０００３】
これら地下タンクの外側は、土壌により腐食しないように、アスファルト、タールエポキシ、ＦＲＰ等で覆われている。一方、地下タンクの内側は、燃料油の場合、通常のタンク材質である鉄鋼板を腐食することは無いので、特段に防食措置を施さずに、鉄鋼板が裸の状態となっている。
【０００４】
一方、地下タンクは安全確保の観点からタンク内は大気圧に保つように消防法で規定されており、このために、大気と連通する通気管が設けられている。したがって、地下タンクに貯蔵されている燃料油が増減すると、連通管を介して外気が導入されたり、タンク内の空気が大気中に排出される。
【０００５】
地下の温度は、年間を通じてほぼ１５℃前後で一定であるため、夏季の高温多湿の外気が地下タンクに入ると、外気は地下の温度に冷やされ、外気中の湿気が結露して、地下タンク内の底部に水となって溜まることがある。この水により地下タンクの底部に腐食が発生することがある。水による腐食は、タンク底部全面に発生する全面腐食で、進行速度が遅いため、腐食による孔が発生することは、通常は無く、厳しく管理している場合には２〜３年に１回程度に定期的に、タンク底部の滞留水混じりの燃料油をポンプで汲み上げ、フィルター、油水分離槽を通して水を除去して、腐食の進行を防止する対策が行われている。
【０００６】
しかし、まれに腐食の有無速度が速い場合に腐食による孔が発生することがあった。地下タンクはマンホールのある場合と無い場合があり、ある場合は、燃料油を抜いてタンクに入り底部を目視チェックすれば、底部の腐食状態を確認できる。しかしながら、給液所に設置されている多数の軽質油用地下タンクは、マンホールが無いため、内部の腐食状態チェックは難しい。
【０００７】
したがって、腐食状態のチェックが行われない中で、まれに腐食の進行が早い事に気づかず、突然に油漏洩事故が発生するおそれがあった。
【０００８】
このような地下タンクに可燃性燃料油を貯蔵する施設は、消防庁からの危険物関連通達により定期的に地下タンク及び地下配管の漏洩の有無を検査することが義務づけられている。
【０００９】
この種の検査方法としては、主に（１）地下タンクに水圧を掛けて漏洩の有無を検査する水加圧試験、（２）地下タンクに窒素ガスを充填してタンク内を加圧して漏洩の有無を検査するガス加圧試験、（３）タンク内を低圧に加圧して漏洩の有無を検査する微加圧試験、（４）真空ポンプによりタンク内を大気圧以下に減圧して漏洩の有無を検査する微減圧試験等がある。
【００１０】
一般には、微加圧試験が広く用いられているので、以下微加圧試験により地下タンク及び地下配管の漏洩の有無を検査する場合について説明する。尚、（１）〜（４）の各試験方法は、消防庁からの通達等により規定されており、それに沿った方法で地下タンクの圧力検査（漏洩検査）が行われる。
【００１１】
微加圧試験を行う場合、地下タンクを空の状態にしてから圧力検査を行っても良いし、あるいは地下タンク内に燃料が貯蔵された状態のまま圧力検査を行うことも可能である。微加圧試験の検査方法は、窒素ガスを地下タンクに封入して地下タンク内の圧力変動が生ずるか否かを一定時間監視する。そして、地下タンクの漏洩検査を行う際は、地下タンクを密閉させた状態で加圧して圧力変動の有無を確認することになる（例えば、特許文献１参照）。
【特許文献１】特開平１０−１９７１７号公報
【発明の開示】
【発明が解決しようとする課題】
【００１２】
上記のように、地下タンクを加圧して圧力変動の有無を監視する方法では、地下タンクからの漏洩がないことを確認することができるが、地下タンクに腐食による漏洩があった場合には、その漏洩箇所を調べて、その箇所を補修して漏洩を防止する修理作業を行う必要がある。
【００１３】
そのため、地下タンクで漏洩が発生する前段階での定期点検時、あるいはメンテナンス時に地下タンクの腐食の有無を予測できることが要望されている。
【００１４】
そこで、本発明は上記課題を解決した地下タンク腐食予測方法及び地下タンク腐食予防方法及び地下タンク腐食予測装置及び地下タンク腐食予防装置を提供することを目的とする。
【課題を解決するための手段】
【００１５】
請求項１記載の発明は、燃料油を貯留する地下タンク底部に滞留する滞留水を採取し、採取した滞留水の中の塩素イオン濃度と硫化物濃度との少なくともいずれか一方の成分の測定を行い、その濃度測定結果に基づいて、前記地下タンク内面の腐食の有無を予測することを特徴とする。
【００１６】
請求項２記載の発明は、燃料油を貯留する地下タンク底部に滞留する滞留水を採取し、採取された滞留水の塩素イオン濃度と硫化物濃度との少なくともいずれか一方の成分の測定を発色試薬により検出し、該検出結果に基づいて前記地下タンク内面の腐食の有無の予測を行うことを特徴とする。
【００１７】
請求項３記載の発明は、燃料油を貯留する地下タンク底部に滞留する滞留水を採取し、採取した滞留水の中の塩素イオン濃度と硫化物濃度との少なくともいずれか一方の成分の測定を行い、その濃度測定結果が孔食を発生しやすい濃度の場合、前記地下タンクに水を注入し、前記滞留水に含まれる塩素イオン濃度の濃度を希釈することを特徴とする。
【００１８】
請求項４記載の発明は、燃料油を貯留する地下タンク底部に滞留する滞留水を採取し、採取した滞留水の中の塩素イオン濃度と硫化物濃度との少なくともいずれか一方の成分の測定を行い、の成分の測定を行い、その濃度測定結果が孔食を発生しやすい濃度の場合、塩素イオン濃度と硫化物濃度との少なくともいずれか一方の物性を変化させることを特徴とする。
【００１９】
請求項５記載の発明は、燃料油を貯留する地下タンク底部に滞留する滞留水を採取する採取手段と、
該採取手段により採取された滞留水の塩素イオン濃度と硫化物濃度との少なくともいずれか一方の成分を測定する濃度測定器と、
該濃度測定器による測定結果に基づいて前記地下タンク内面の腐食の有無を予測する予測手段と、
を備えたことを特徴とする。
【００２０】
請求項６記載の発明は、燃料油を貯留する地下タンク底部に滞留する滞留水を採取する採取手段と、
該採取手段により採取された滞留水の塩素イオン濃度と硫化物濃度との少なくともいずれか一方の成分を測定する濃度測定器と、
該濃度測定器による測定結果が孔食を発生しやすい濃度の場合、前記地下タンクに水を注入し、前記滞留水に含まれる塩素イオン濃度と硫化物濃度との少なくともいずれか一方を希釈する希釈手段と、
を備えたことを特徴とする。
【発明の効果】
【００２１】
請求項１記載の発明によれば、地下タンクの滞留水の中の塩素イオン濃度と硫化物濃度との少なくともいずれか一方に基づいて、地下タンク内面の腐食を予測するため、地下タンクで漏洩が発生する前段階で地下タンク内面の腐食の有無を予測することが可能になる。
【００２２】
請求項２記載の発明によれば、地下タンクの滞留水の塩素イオン濃度と硫化物濃度との少なくともいずれか一方を発色試薬により検出するため、比較的簡単な設備で容易に地下タンク内面の腐食の有無を予測することが可能になる。
【００２３】
請求項３記載の発明によれば、滞留水の塩素イオン濃度と硫化物濃度との少なくともいずれか一方が孔食を発生しやすい濃度の場合、滞留水に含まれる塩素イオン濃度の濃度を希釈するため、地下タンク内面の腐食を予防することが可能になる。
【００２４】
請求項４記載の発明によれば、滞留水の塩素イオン濃度と硫化物濃度との少なくともいずれか一方が孔食を発生しやすい濃度の場合、塩素イオン濃度と硫化物濃度との少なくともいずれか一方の物性を変化させるため、地下タンク内面の腐食を予防することが可能になる。
【００２５】
請求項５記載の発明によれば、濃度測定器による測定結果に基づいて前記地下タンクの内面腐食を予測するため、地下タンクで漏洩が発生する前段階で地下タンク内面の腐食を予測することが可能になる。
【００２６】
請求項６記載の発明によれば、濃度測定器による測定結果が孔食を発生しやすい濃度の場合、地下タンクに水を注入し、滞留水に含まれる塩素イオン濃度と硫化物濃度との少なくともいずれか一方の濃度を希釈するため、地下タンクで漏洩が発生する前段階で地下タンク内面の腐食を予防することが可能になる。
【発明を実施するための最良の形態】
【００２７】
以下、図面と共に本発明の一実施例について説明する。
【実施例１】
【００２８】
図１は本発明になる地下タンク腐食予測装置及び地下タンク腐食予防装置の実施例１を示す構成図である。
図１に示されるように、地下タンク腐食予測装置１０は、マンホール１２から地下タンク１４の挿入管１５に挿入された吸込み管１６と、吸込み管１６を介して地下タンク１４の底部に滞留された滞留水Ｗを吸込む吸込みポンプ（採取手段）１８と、吸込みポンプ１８により汲み上げられた滞留水Ｗの塩素イオン濃度、硫化物濃度を分析する分析計（濃度測定器）２０と、分析計２０による分析結果に基づいて地下タンク１４内面の腐食の有無を予測するための制御装置２２と、予測結果を表示する表示器２４とから構成されている。
【００２９】
吸込みポンプ１８の吐出管２６は、採取された滞留水Ｗを分離器２８に連通されている。そして、分離器２８において、採取された滞留水Ｗに含まれる油成分が水から分離され、分離した油成分はドレン管３２を介して地下タンク１４に戻される。また、分離器２８で分離された水は、採取管３０を介して分析計２０に供給される。
【００３０】
地下タンク腐食予測装置１０は、吸込み管１６をマンホール１２から地下タンク１４に挿入することで滞留水Ｗを採取し、滞留水Ｗの濃度分析を行うことができるので、比較的短時間で塩素イオン濃度、硫化物濃度を測定することが可能になり、給液所の営業停止時間を短縮することが可能になる。
【００３１】
また、地下タンク１４には、液面の上下動に応じて空気の吸気・排気を行う通気管３４と、計量機（図示せず）へ燃料油を送液するための送液管３６とが連通されている。さらに、挿入管１５には、タンクローリ車（図示せず）から荷卸しするための注油管３８が連通されている。
【００３２】
地下タンク１４の内部には、ガソリン等の燃料油Ｎが貯蔵されているため、結露または洗浄による残留水が蓄積された滞留水Ｗは、燃料油Ｎよりも比重の重いので、地下タンク１４の底部に滞留する。図１では、分かりやすくため、多量の滞留水Ｗが滞留しているように図示してあるが、実際には、滞留水Ｗは図示できない程度の少量である。
【００３３】
制御装置２２は、例えば、パーソナルコンピュータなどからなり、後述するように、燃料油を貯留する地下タンク１４の内底部に滞留する滞留水をポンプ１８により採取し、採取した滞留水Ｗの中の塩素イオン濃度と硫化物濃度との少なくともいずれか一方の成分の測定を行い、その濃度測定結果に基づいて、地下タンク１４内面の腐食の有無を予測する。
【００３４】
分析計２０は、地下タンク１４の底部に滞留する滞留水の中の塩素イオン濃度及び硫化物濃度を測定する濃度測定器であり、例えば、イオンクロマトグラフからなる。自然水中によく含まれている陰イオンには、塩化物イオン、硝酸イオン、硫酸イオンなどがある。そして、イオンを含んだ水のサンプルをカラム（クロマト管に樹脂製充填剤を詰めた構成）に通し、イオンと樹脂とのなじみ易さはイオンによって違うため、イオンの種別によってカラムから出てくるタイミングがずれることになる。本実施例では、地下タンク１４の底部に滞留する滞留水Ｗを所定量（例えば、１００ｃｃ程度）採取し、この滞留水Ｗに含まれる塩素イオン濃度と硫化物濃度との少なくともいずれか一方の成分濃度を分析する。尚、硫化物には、Ｓ２−イオンが含まれており、Ｓ２−イオンを検出することにより濃度を測定することが可能になる。
【００３５】
そのため、イオンクロマトグラフを用いた分析計２０では、イオンが電気を帯びた粒子であるので、電気伝導率を測定することで、カラムから出たイオンを検出できると共に、イオンの量も測定でき、時間軸上の電気伝導率の変化をグラフで示すことでどのイオンが検出されたのかを表示する。
【００３６】
ところで、燃料油を貯蔵する地下タンク１４においては、まれに、進行度の早い腐食（孔食）が発生することがある。そこで、なぜ孔食が発生するのか、その原因を調査し、地下タンク１４の内底部に滞留する滞留水Ｗを分析調査した結果、塩素濃度が数百ppmと異常に高い値を検出した。一方、地下タンク１４は、鋼板により形成されており、鉄板表面に樹脂コーティング等して腐食しにくい構造になっている。
【００３７】
一般に数１０ppm程度以下の塩素イオン濃度水に接する鋼板は、鋼板全面が赤くなり全面腐食を生じる。しかし、塩素イオン濃度が数百ppmとなると鉄板表面に、局部が集中的に進行する孔食が生じ、孔食部が集中的に腐食が進行する現象が発生する。燃料油を貯蔵する地下タンク１４に塩分が侵入する経路を検討した結果、例えば、海岸に近い給液所の場合、風向きにより潮風が給液所まで流れてくることが有り、この塩分を含んだ外気が通気管３４から地下タンク１４に侵入し、温度差による結露から、塩分を含む滞留水Ｗが地下タンク１４の底部に溜まることが考えられる。あるいは、地下タンク１４の内部を洗浄した際の水が底部に滞留した滞留水Ｗに含まれた塩素が蓄積されて塩素イオン濃度が高まることも考えられる。
【００３８】
制御装置２２は、採取された滞留水Ｗのイオン濃度を分析計２０により分析し、分析結果に基づいて地下タンク１４内面の腐食の有無、及び腐食の進行具合を予測する制御プログラム（予測手段）がメモリに格納されている。
【００３９】
従って、制御装置２２は、予め入力された制御プログラムに応じて分析計２０の分析結果から吸込みポンプ１８によって採取された地下タンク１４の滞留水に含まれる各成分のイオン濃度を分析すると共に、地下タンク１４内面の腐食の有無、及び腐食の進行具合を予測し、その予測結果を報知する。
【００４０】
本実施例においては、塩素イオン濃度については、例えば１００ppmを閾値として設定する。また、硫化物濃度としては、例えば３００ppmを閾値として設定する。
【００４１】
地下タンク腐食予防装置４０は、純水が貯留された純水タンク４２と、純水タンク４２に貯留された水を地下タンク１４に供給する供給ポンプ４４と、マンホール１２から地下タンク１４の挿入管１５に挿入される水供給管４６とから構成されている。すなわち、地下タンク腐食予測装置１０による地下タンク１４の腐食の進行具合を検査した際に、地下タンク１４の底部から採取された滞留水の塩素イオン濃度が閾値（例えば、１００ppm）以上であったり、あるいは硫化物濃度が閾値（例えば、３００ppm）以上である場合、地下タンク腐食予防装置４０は、地下タンク１４に純水を供給して滞留水Ｗを希釈する。これにより、滞留水の塩素イオン濃度が減少して孔食の発生を防止する。
【００４２】
尚、地下タンク腐食予防装置４０は、前述した地下タンク腐食予測装置１０と共に、点検時あるいはメンテナンス時に地下タンク１４のマンホール１２の近傍に設置される。
【００４３】
図２は制御装置２２が実行する制御処理の手順を説明するためのフローチャートである。
図２に示されるように、制御装置２は、Ｓ１１でポンプ１８を駆動して地下タンク１４の底部に滞留する滞留水Ｗを汲み上げて分析計２０に供給する。次のＳ１２では、ポンプ１８により採取された滞留水Ｗの採取量が適量（例えば、１００ｃｃ程度）かどうかを確認する。
【００４４】
Ｓ１２において、分析計２０に適量の滞留水Ｗが供給されると、Ｓ１３に進み、分析計２０の分析結果を読み込み、塩素イオン濃度を測定し、測定結果を記憶する。続いて、Ｓ１４に進み、測定結果である塩素イオン濃度が閾値Ａ（例えば、Ａ＝１００ppm）以下かどうかを確認する。
【００４５】
Ｓ１４において、塩素イオン濃度が閾値Ａ以下の場合は、Ｓ１５に進み、分析計２０の分析結果を読み込み、硫化物濃度を測定し、測定結果を記憶する。続いて、Ｓ１６に進み、測定結果である硫化物濃度が閾値Ｂ（例えば、Ａ＝３００ppm）以下かどうかを確認する。
【００４６】
Ｓ１６において、塩素イオン濃度が閾値Ｂ以下の場合は、Ｓ１７に進み、孔食の可能性が無いものと予想し、その予測結果を表示器２３に表示して報知する。これで、滞留水Ｗの濃度検査が終了する。
【００４７】
また、上記Ｓ１４において、塩素イオン濃度が閾値Ａ以上の場合、あるいはＳ１６において、硫化物濃度が閾値Ｂ以上の場合は、滞留水Ｗの濃度が孔食が発生しやすい濃度に達しているものと判断し、Ｓ１８に進む。Ｓ１８では、塩素イオン濃度あるいは硫化物濃度が閾値以上であるので、孔食（貫通孔）の可能性が高いものと予想し、その予測結果を表示器２３に表示して報知する。従って、地下タンク１４で漏洩が発生する前段階で地下タンク１４の腐食の有無を予測して報知することができる。
【００４８】
続いて、Ｓ１９では、供給ポンプ３４を起動させて純水タンク３２に貯留された水を介して地下タンク１４に供給する。これにより、地下タンク１４の底部には、純水が少量ずつ供給され、帯留水Ｗが希釈され、塩素イオン濃度あるいは硫化物濃度が低下する。そのため、帯留水Ｗの塩素イオン濃度あるいは硫化物濃度による孔食の発生が予防される。
【００４９】
次のＳ２０では、ポンプ１８を駆動して地下タンク１４の底部に滞留する滞留水Ｗを所定量だけ汲み上げて分析計２０に供給する。そして、上記閾値以上と判定された塩素イオン濃度あるいは硫化物濃度を再度、分析計２０により測定する。
【００５０】
すなわち、Ｓ２１では、分析計２０の分析結果を読み込み、塩素イオン濃度あるいは硫化物濃度を測定し、測定結果を記憶する。続いて、Ｓ２２に進み、測定結果である塩素イオン濃度あるいは硫化物濃度が閾値ＡあるいはＢ以下かどうかを確認する。
【００５１】
Ｓ２２において、測定結果である塩素イオン濃度あるいは硫化物濃度が閾値ＡあるいはＢ以下でない場合には、上記Ｓ１９に戻り、純水の供給が継続され、さらに滞留水Ｗの濃度が低下される。
【００５２】
また、上記Ｓ２２において、測定結果である塩素イオン濃度あるいは硫化物濃度が閾値ＡあるいはＢ以下である場合には、地下タンク１４の内部環境が孔食の発生しにくい状況に変化しているので、Ｓ２３に進み、供給ポンプ３４を停止させて純水の供給を止める。その後、上記Ｓ１７に進み、孔食の可能性が無いものと予想し、その予測結果を表示器２３に表示して報知する。これで、滞留水Ｗの濃度検査が終了する。
【００５３】
また、吸込みポンプ１８を用いても完全に貯留された滞留水Ｗを汲み上げることは難しいため、純水を地下タンク１４に供給して貯留された滞留水Ｗを希釈する工程と、汲み上げる工程とを繰り返し、地下タンク１４の内部環境を孔食が発生しにくい状況に変化させる。
【００５４】
また、塩素イオン濃度または硫化物濃度がかなり高い場合には、地下タンク１４内部の燃料油を一部取り出した後、単に純水を供給するのでなく、噴射ノズル（図示せず）を地下タンク１４内に挿入して高圧水をタンク底部の所定個所に噴射させて水を希釈化させてくみ上げる方法も有効である。そして、この場合も上記のように濃度測定を行って、塩素イオン濃度または硫化物濃度を閾値以下に低下させる。
【００５５】
また、仮に、地下タンク１４の内面で孔食が始まっているとすると、腐食部位に滞留する塩素成分や硫化物成分をジェット噴射効果により、除去することができ腐食の進行を止めることができる。併せて、腐食の残片も取り出すことができ腐食の進行度のデータの参考にもなる。
【００５６】
尚、上記説明では、純水を地下タンク１４に供給して滞留水Ｗの塩素イオン濃度及び硫化物濃度を希釈することで地下タンク１４の孔食を予防する方法について説明したが、純水の代わりに、例えば井戸水を使用する場合には、予め使用する水の塩素イオン濃度及び硫化物濃度を測定し、濃度の低い水を使用する。
【００５７】
また、実施例では、純水を供給ポンプ４４を使用して地下タンク１４に供給しているが、これに限らず、純水を自然落下で地下タンク１４内に供給し、負圧吸引治具（例えば、スポイドのような吸引部材）を用いて水を吸い上げるようにしても良い。
【実施例２】
【００５８】
実施例２としては、上記分析計２０を設置する代わりに、例えば、地下タンク１４の滞留水Ｗの塩素イオン濃度あるいは硫化物濃度を発色試薬（図示せず）により検出する方法を用いる。この場合、上記地下タンク腐食予測装置１０を給液所に設置するよりも比較的簡単な設備で容易に地下タンク１４内面の腐食の有無を予測することが可能になる。
【実施例３】
【００５９】
図３は地下タンク腐食予防装置の実施例２を示す構成図である。
図３に示されるように、地下タンク腐食予防装置５０は、地下タンク１４の底部に滞留する滞留水Ｗを汲み上げるポンプ５２と、ポンプ５２により汲み上げられた帯留水Ｗの塩素分を不溶性化合物に変え、あるいは硝酸銀を使用して塩化銀に変えて塩素成分を除去する触媒５４とを有する。また、触媒５４により塩素成分を除去された水は、地下タンク１４に戻される。
【００６０】
この地下タンク腐食予防装置５０では、上記実施例１のように純水を供給する必要がないので、純水を補給する手間がいらず、作業が容易に行える。
【実施例４】
【００６１】
図４は地下タンク腐食予防装置の実施例３を示す構成図である。
図４に示されるように、地下タンク腐食予防装置６０は、地下タンク１４の底部に滞留する滞留水Ｗを汲み上げるポンプ６２と、ポンプ６２により汲み上げられた帯留水Ｗの塩素イオンを塩素ガスに変換して回収することで、塩素成分を除去する電気分解装置６４とを有する。
【００６２】
電気分解装置６４では、ポンプ６２により汲み上げられた帯留水Ｗの塩素イオンを除去し、その後、塩素成分が除去された水を地下タンク１４に戻す。
【００６３】
この地下タンク腐食予防装置６０では、帯留水Ｗに含まれる塩素成分を電気分解により除去できるため、メンテナンス作業が容易に行える。
【実施例５】
【００６４】
図５は地下タンク腐食予防装置の実施例４を示す構成図である。
図５に示されるように、地下タンク腐食予防装置７０は、地下タンク１４の底部に滞留する滞留水Ｗを汲み上げるポンプ７２と、ポンプ７２により汲み上げられた帯留水Ｗに含まれる塩素成分あるいは硫化物成分をイオン交換により吸着して除去するイオン交換装置７４とを有する。
【００６５】
イオン交換装置７４では、ポンプ７２により汲み上げられた帯留水Ｗから塩素成分あるいは硫化物成分を除去し、その後、塩素成分あるいは硫化物成分が除去された水を地下タンク１４に戻す。
【００６６】
この地下タンク腐食予防装置７０では、イオン交換により帯留水Ｗに含まれる塩素成分あるいは硫化物成分を除去できるため、メンテナンス作業が容易に行える。
【産業上の利用可能性】
【００６７】
上記実施例では、ガソリンを貯蔵する地下タンク内の腐食の進行を予測する場合を例に挙げて説明したが、これに限らず、ガソリン以外の燃料、例えば、灯油、軽油、重油等の燃料油を貯蔵する地下タンクや、給液所以外の施設として、例えば、燃料基地、重油・軽油ボイラーを有する工場、事業所、ビル等の施設に設置された地下タンクの腐食の進行を予測する場合にも適用できるのは、勿論である。
【図面の簡単な説明】
【００６８】
【図１】本発明になる地下タンク腐食予測装置及び地下タンク腐食予防装置の実施例１を示す構成図である。
【図２】制御装置２２が実行する制御処理の手順を説明するためのフローチャートである。
【図３】地下タンク腐食予防装置の実施例２を示す構成図である。
【図４】地下タンク腐食予防装置の実施例３を示す構成図である。
【図５】地下タンク腐食予防装置の実施例４を示す構成図である。
【符号の説明】
【００６９】
１０  地下タンク腐食予測装置
１２  マンホール
１６  吸込み管
１８  吸込みポンプ
２０  分析計
２２  制御装置
２４  表示器
２８  分離器
３４  連通管
４０，５０，６０，７０  地下タンク腐食予防装置
４２  純水タンク
４４  供給ポンプ
５４  触媒
６４  電気分解装置
７４  イオン交換装置
【図１】
2005076070.tif 000003
【図２】
2005076070.tif 000004
【図３】
2005076070.tif 000005
【図４】
2005076070.tif 000006
【図５】
2005076070.tif 000007